(57)【要約】【課題】  部屋のほぼ中心から部屋周囲の複数の測定点の角度データおよび長さデータを収集するときに、各測定点における部屋の床面から敷居上面までの高さを収集する部屋の寸法測定装置を提供すること。【解決手段】  部屋のほぼ中央に設置されてレーザー光線を放射しながら回転する測定装置本体と、部屋の複数の測定点において上記測定装置本体のレーザー光線を受光したときに応答する探触子とを具備し、この探触子の応答時に極座標で各測定点の位置データを収集して記憶手段に格納する部屋の寸法測定装置において、上記探触子に床面から敷居上面までの高さを測定する敷居の高さ測定手段を設け、敷居の高さデータを測定装置本体に伝送するものである。【選択図】  図３
2014021063.tif 000002
【特許請求の範囲】
【請求項１】
部屋のほぼ中央に設置されてレーザー光線を放射しながら回転する測定装置本体と、部屋の複数の測定点において上記測定装置本体のレーザー光線を受光したときに応答する探触子とを具備し、該探触子の応答時に極座標で各測定点の位置データを収集して記憶手段に格納する部屋の寸法測定装置において、
上記探触子に床面から敷居上面までの高さを測定する敷居の高さ測定手段を設け、敷居の高さデータを測定装置本体に伝送することを特徴とする部屋の寸法測定装置。
【請求項２】
敷居の高さ測定手段は、探触子の先端部近傍に、デジタルデータ出力端子を有するノギスのスライダー側を垂直に取り付けたものであって、該ノギスの本尺の下面を敷居上面に押し当てて、敷居の高さを測定することを特徴とする請求項１に記載の部屋の寸法測定装置。
【請求項３】
敷居の高さ測定手段は、探触子に縦方向に配置したフォトダイオードアレイと、該フォトダイオードアレイを走査して入射光量の変化を検出する手段とを備え、該フォトダイオードアレイを敷居側面に押し当てて走査し、入射光量が急変したフォトダイオードアレイのアドレスに基づいて敷居の高さを測定することを特徴とする請求項１に記載の部屋の寸法測定装置。
【請求項４】
部屋のほぼ中央に設置されてレーザー光線を放射しながら回転する測定装置本体と、部屋の複数の測定点を上記測定装置本体のレーザー光線を受光したときに応答する探触子と、手持ちの敷居の高さ測定装置とを有し、上記探触子の応答時に極座標で各測定点の位置データを収集して記憶手段に格納する部屋の寸法測定装置において、
上記手持ちの敷居の高さ測定装置は、正面に縦方向に配置したフォトダイオードアレイと、該フォトダイオードアレイを走査して入射光量の変化を検出する手段とを備え、該フォトダイオードアレイを上記測定点の敷居側面に押し当てて走査させ、入射光量が急変したフォトダイオードアレイのアドレスに基づいて敷居の高さを測定して上記測定装置本体へ無線通信により敷居の高さデータを伝送することを特徴とする部屋の寸法測定装置。
【請求項５】
部屋のほぼ中央に設置されて回転するレーザー距離計を搭載した測定装置本体と、手持ちの敷居の高さ測定装置とを有し、部屋の複数の測定点を上記測定装置本体のレーザー距離計から放射されたレーザー光線が照射したときに上記測定装置本体の回転を停止して極座標で各測定点の位置データを収集して記憶手段に格納する部屋の寸法測定装置において、
上記手持ちの敷居の高さ測定装置は、正面に縦方向に配置したフォトダイオードアレイと、該フォトダイオードアレイを走査して入射光量の変化を検出する手段とを備え、上記測定装置本体の回転が停止中に、上記フォトダイオードアレイを上記測定点の敷居側面に押し当てて走査させ、入射光量が急変したフォトダイオードアレイのアドレスに基づいて敷居の高さを測定して上記測定装置本体へ無線通信により敷居の高さデータを伝送することを特徴とする部屋の寸法測定装置。
【発明の詳細な説明】
【技術分野】
【０００１】
この発明は、部屋の寸法測定装置によって部屋のほぼ中心から部屋周囲の複数の測定点の角度データおよび長さデータを収集するときに、各測定点における部屋の床面から敷居上面までの高さを収集するように構成した装置に関する。
【背景技術】
【０００２】
部屋の形状に合わせて畳を製造する際に、予め部屋の実寸法を測定して、数値制御等により畳を裁断加工している。４畳半、６畳、８畳などと表記された部屋の面積と実面積が同じであるとは限らないので、施工に際して、予め部屋の実寸法を測定し、その測定結果に基づいて部屋の形状に合わせて畳を裁断加工している。
【０００３】
部屋の実寸法を測定するための部屋の寸法測定装置が、下記特許文献１および下記特許文献２により従来より提案されている。この部屋の寸法測定装置は、略四角形の部屋の中心部近傍の位置を基準にして、測定したい部屋周囲の測定点までの長さデータおよび角度データよりなる極座標データを測定して収集し、この極座標データを畳の裁断加工に適したＸ−Ｙ座標データに変換して表記するための寸法測定装置である。なお、この測定点は、間中測定や小間中測定で定められた測定点である。
【０００４】
部屋に複数の畳を敷き込んだときに、隣接する畳どうしの表面の高さが一致していなければ、畳の突合わせ部において段差を生じる。特に、敷居に接する畳においては、敷居上面と畳の表面高さが一致していなければ、同様に付合わせ部に段差を生じて見栄えが悪くなる。
【０００５】
部屋の床面に凹凸がなければ、隣接する畳の表面高さが不揃いにはならないが、敷居上面と畳の表面高さが一致しないために段差を生じる場合が多く見受けられる。
【０００６】
そこで、畳と敷居の突合わせ部の表面高さを段差なく揃えるために、製造工程おいて、各畳ごとに畳の敷居との付合わせ部の裏面にスペーサーを挿入して畳の厚みを微調整することが従来より行われている。
【先行技術文献】
【特許文献】
【０００７】
【特許文献１】特許第３６５９４３６号公報
【特許文献２】特許第４２５０７３５号公報
【発明の開示】
【発明が解決しようとする課題】
【０００８】
このような従来の部屋の寸法測定装置においては、探触子を部屋の各測定点（図５参照）に突き当てて、測定装置本体に対する角度データおよび長さデータを極座標で収集し、Ｘ−Ｙ座標データに変換しているが、部屋の各測定点における床面から敷居上面までの高さデータを収集する手段を具備していなかった。
【０００９】
部屋に敷き込んだ際の見た目の美しさにこだわる畳職人は、隣接する畳どうしの表面の高さ、および敷居上面と畳の高さが一致するように、畳の厚みを微調整している。この微調整の方法は、畳床の裏面に厚み調整材料（テープ、紙、ゴザなどの厚みが１ｍｍ程度のもの）を１枚または複数枚を重ねて、所望の厚みに調整している。
【００１０】
そこで、部屋に敷き込む際には、部屋の全周囲の各要所における床面から敷居上面までの高さを別途測定してメモ書きしておき、このメモ書きに基づいて、畳の敷居に突き当たる部分（下前、框）の厚みを微調整していた。
【００１１】
このように、部屋の全周囲の各要所ごとに、床面から敷居上面までの高さを測定する手間がかかり、しかも測定ミスや記入ミスも多発していた。
【００１２】
畳の厚みを調整する際に、テープ、紙、ゴザなどの厚み調整材料の選択やそれらの枚数を調整して縫い合わせているので、測定ミスや記入ミスにより誤ると、やり直しに多くの労力と時間を要し、材料を浪費するから、測定ミスや記入ミスはできるだけ回避しなければならない。
【課題を解決するための手段】
【００１３】
この発明の部屋の寸法測定装置は、部屋のほぼ中央に設置されてレーザー光線を放射しながら回転する測定装置本体と、部屋の複数の測定点において上記測定装置本体のレーザー光線を受光したときに応答する探触子とを具備し、該探触子の応答時に極座標で各測定点の位置データを収集して記憶手段に格納する部屋の寸法測定装置において、上記探触子に床面から敷居上面までの高さを測定する敷居の高さ測定手段を設け、敷居の高さデータを測定装置本体に伝送するものである。
【発明の効果】
【００１４】
この発明の部屋の寸法測定装置によると、間中測定や小間中測定で定められた各測定点について部屋の実寸法を測定する際に、畳の上前または框が敷居に突き当たる部分について、床面から敷居上面までの高さを機械的に測定することができるので、測定ミスや転記ミスなどの人為的なミスを防止できる。したがって、敷居上面と畳の高さが一致するように、畳の上前または框部分の厚みを微調整する作業を誤りなく行うことがでる。
【図面の簡単な説明】
【００１５】
【図１】この発明において使用する部屋の寸法測定装置における測定装置本体の概要示す斜視図、
【図２】第１の実施形態における信号処理回路および探触子を示すブロック図、
【図３】第１の実施形態において使用する探触子を示す図、
【図４】図３に示す探触子を用いて部屋の寸法および敷居の高さを測定する状態を示す平面図、
【図５】部屋の寸法を測定するために、間中測定法による測定点を示す平面図、
【図６】部屋の寸法および敷居の高さを表示する一例を示す図、
【図７】第２の実施形態において使用する探触子を示す図、
【図８】図７に示す探触子の回路を示すブロック図、
【図９】図７に示す探触子を用いて敷居の高さを測定する状態を示す縦断面図、
【図１０】第２の実施形態における信号処理回路、探触子および携帯端末装置を示すブロック図、
【図１１】第３の実施形態の探触子を示す斜視図、
【図１２】第４の実施形態の高さ測定装置を示す斜視図、
【図１３】第５の実施形態の高さ測定装置を示す斜視図、
【図１４】第４および第５の実施形態の高さ測定装置の使用状態を示す斜視図である。
【発明を実施するための形態】
【００１６】
（第１の実施形態）
この発明の第１の実施形態における基本的な構成は、特許第３６５９４３６号公報に記載された部屋の寸法測定装置を用いて実施するものである。
【００１７】
この寸法測定装置における測定装置本体Ｈは、図１に示すように、基台２と、モータ14によって基台２に対して回転自在に載置された回転台１と、この回転台１上に載置され、基台２に対する回転台１の回転角度を検出するロータリー・エンコーダ11と、回転台１上に載置され、ワイヤーまたはテープ17などを巻き込んでおいて、引き出されたワイヤーまたはテープ17などの長さを検出するリニア・エンコーダ13と、回転台１上に載置され、回転台１の指向方向にレーザ光線15を放射するレーザ光源５と、ワイヤーまたはテープ17などの先端に結合された先鋭な先端部41を有する探触子４と、この探触子４には、図２に示すように、本体から放射されたレーザ光線15を光センサ42で受光したときに赤外線を放射する応答用ＬＥＤ43とを備えている。
【００１８】
さらに、測定装置本体Ｈには、図２のブロック図に示す信号処理回路を備えており、測定装置本体Ｈが回動して、レーザ光線15が探触子４の光センサ42に入射したとき、応答用ＬＥＤ43から赤外線が放射され、この赤外線を本体の光センサ16で受光した瞬間に、ロータリー・エンコーダ11によって得た角度データおよびリニア・エンコーダ13によって得た長さデータをメモリに格納するとともに、探触子４が放射した応答赤外線に変調された敷居の高さデータも同時に格納するように構成されている。
【００１９】
この発明においては、図３の平面図（ａ）および斜視図（ｂ）に示すように、探触子４に、床面（探触子４の底面）から敷居上面までの高さを測定する高さ測定装置を設けたものである。
【００２０】
図３の平面図に示すように、高さ測定装置６として、探触子４の先端部近傍に、回転ボス62を介してデジタルデータ出力端子を有するノギス６のスライダー側を垂直に取り付けたものである。このノギス６は、回転ボス62により約２７０度回転可能である。
【００２１】
このノギス６は、その本尺61の下面を敷居上面に押し当てて、敷居の高さを測定するものである。このノギス６は、探触子４の底面（床面）を原点（０ｍｍ）として、本尺61の下面の高さをデジタルデータとして出力するものである。
【００２２】
なお、探触子４の高さよりも厚みの薄い畳に対応するために、図３の斜視図（ｃ）に示すように、本尺61より下向きに一定長さの棒材61ａを突出させ、この棒材61ａの下面を敷居上面に押し当てるように構成しておけばよいのである。
【００２３】
この本尺61または61ａが移動した距離に相当する敷居の高さのデジタルデータをマイコン（図示せず）に取り込む。そして、応答用ＬＥＤ43から放射されるレーザ光線を敷居の高さデータで変調して測定装置本体Ｈに伝送するように構成されている。
【００２４】
この探触子４を用いて床面から敷居の表面までの高さを測定する際には、図４に示すように、部屋の寸法を測る手順において、部屋の測定すべき測定点（図５参照）に探触子４の先端41を当てる。このとき、ノギス６の本尺61を回動させて、その下面を測定点近傍の敷居９の上面に押し当てて待機する。
【００２５】
測定装置本体Ｈが回動して、レーザビーム15が探触子４の光センサ42に入射すると、探触子４の応答用ＬＥＤ43から赤外線が放射され、この応答赤外線を本体の光センサ16で受光した瞬間に、ロータリー・エンコーダ11によって得た角度データおよびリニア・エンコーダ13によって得た長さデータを収集する。
【００２６】
このとき、応答用ＬＥＤ43より放射された赤外線は、ノギス６で測定した敷居の高さデータで変調されているから、この敷居の高さデータも同時に収集して、各測定点ごとにまとめて格納される。
【００２７】
そして、図６に長方形の枠中に数値で示すように、収集した座標データに基づく畳のくせのデータと、図６に長円形の枠中に数値で示すように、測定した敷居の高さデータを表示させる。
【００２８】
（第２の実施形態）
第１の実施形態においては、敷居の高さ測定装置としてノギス６を用いたものであるが、第２の実施形態においては、縦方向に配置したフォトダイオードアレイよりなる光学的高さ測定装置を探触子４に組み込んだものである。
【００２９】
図７の斜視図（ａ）に示すように、横断面の形状が二等辺三角形である高さ測定装置７を使用する。この先端部の角度は、探触子４の先端部41の角度とほぼ同じであり、二等辺三角形の底辺に当たる面にフォトダイオードアレイ71を縦方向に設けたものである。
【００３０】
この三角柱形の高さ測定装置７は、図７の平面図（ｂ）および側面図（ｃ）に示すように、探触子４の先端部の上面および下面に突出させた２枚の支持板48、49および回動軸78により、回動自在に支持されている。
【００３１】
三角柱形の高さ測定装置７を格納させた状態においては、フォトダイオードアレイ71を設けた面は探触子４の中に格納されており、外見上、従来の探触子４と変わらない。なお、高さ測定装置７の格納状態を安定に保つために、支持板48または49と高さ測定装置７との間にクリップストップ機構（図示せず）が設けられている。
【００３２】
高さ測定装置７には、図８のブロック図に示すように、フォトダイオードアレイ71と、このフォトダイオードアレイ71の各出力チャンネルがそれぞれ接続されたマルチプレクサー72と、このマルチプレクサー72によって選択的に接続された１つのチャンネルの出力をＡ／Ｄ変換するＡ／Ｄ変換回路74と、マイコン75と、このマイコン75のシリアル通信ポートより出力される高さデータを送信するブルーツース（登録商標）無線通信部76を備えている。
【００３３】
マルチプレクサー72は、そのアドレス端子73に、マイコン75より順次に変化するアドレス信号が印加され、フォトダイオードアレイ71の各出力チャンネルの内の１つを順次にＡ／Ｄ変換回路74へ導くものであって、フォトダイオードアレイ71を縦方向に走査するように動作する。
【００３４】
敷居９の高さを測定する際には、図９の縦断面図に示すように、三角柱形の高さ測定装置７を回動させて、フォトダイオードアレイ71を有する面を敷居９の側面に向ける。そして、探触子４を床面の上に載せ、フォトダイオードアレイ71を有する面を敷居の側面に押し当ててスイッチ77を操作して電源を入れると測定動作を開始する。
【００３５】
フォトダイオードアレイ71を走査すると、下部のフォトダイオードアレイ71ａにおいては、敷居９により入射する光線が遮られて暗く、出力レベルは低い。しかし、敷居上面より上部のフォトダイオードアレイ71ｂにおいては、外光が入射するので出力レベルは高くなる。
【００３６】
なお、暗い場所において敷居の高さを測定する場合には、入射する外光が弱くて測定が困難であるから、フォトダイオードアレイ71の上にＬＥＤを設けて、測定中に点灯するように構成しておくと便利である。
【００３７】
走査中に、Ａ／Ｄ変換回路73から出力される入射光のデジタル信号が急変したとき、マルチプレクサー72に印加さているそのアドレス信号が、敷居上面に指向しているフォトダイオード71のアドレスに対応している。したがって、デジタル信号が急変したときのアドレスが敷居９の高さに対応している。
【００３８】
このマルチプレクサー72のアドレスをマイコン74により高さデータに変換してブルーツース無線通信部（図示せず）より送信する。
【００３９】
この第２の実施形態においては、部屋の測定すべき測定点に探触子４の先端を当てて、角度データおよび長さデータを収集する動作と、敷居９の高さを測定する動作を分けて行い、敷居９の高さデータは、ブルーツース無線通信部75を介して伝送する。
【００４０】
第２の実施形態においては、測定装置本体Ｈに、図１０のブロック図に示す信号処理回路を備えており、三角柱形の高さ測定装置７を格納した状態で、レーザ光線の指向方向に存在する測定すべき測定点に探触子４の先端部41を合わせて待機し、レーザ光線15が探触子４の光センサ42に入射したとき、応答用ＬＥＤ43より赤外線が放射され、この赤外線を本体の光センサ16で受光した瞬間に、ロータリー・エンコーダ11によって得た角度データおよびリニア・エンコーダ13によって得た長さデータを送信するブルーツース無線通信部10を具備している。
【００４１】
この発明の部屋の寸法測定装置においては、測定装置本体Ｈの他に、図１０中のブロック図に示すように、スマートフォンとして用いられている携帯端末装置３を使用し、この発明の部屋の寸法測定装置を操作する専用のソフトウエアを追加インストールして使用する。
【００４２】
この携帯端末装置３には、図１０のブロック図に示すように、測定装置本体Ｈと通信を行うブルーツース無線通信部31と、表示部32と、操作部33と、記憶部34と、主演算部35とを備えている。
【００４３】
携帯端末装置３の表示部32および操作部33は同一画面上にあり、タッチパネルとして使用するものであって、「初期設定画面」、極座標の原点を設定する「原点設定画面」、測定手順の入力および測定の進行状況を表示する「測定画面」を備えており、「測定画面」には、初期設定画面で設定された各部屋において測定すべき測定点（基準点）を表示するとともに測定の進行状況を表示する画面をも備えている。
【００４４】
そして、図６に示すように、第１の実施形態と同様に収集した座標データに基づく畳のくせのデータと、測定した敷居の高さデータを表示させる。
【００４５】
（第３の実施形態）
第２の実施形態においては、単一のフォトダイオードアレイ71を備えた回動可能な三角柱形の高さ測定装置７を使用しているが、第３の実施形態においては、図１１の斜視図に示すように、探触子４の先端部41の稜線を挟む２つの両側面に、フォトダイオードアレイ71をそれぞれ設けたものである。
【００４６】
敷居の高さを測定する際には、都合のよい何れか一方のフォトダイオードアレイ71を選択して、敷居の側面に押し押し当てることにより、第２の実施形態と同様に測定することができる。
【００４７】
以上で説明した第１〜第３の実施形態においては、測定装置本体Ｈから引き出すワイヤーまたはテープ17と、リニア・エンコーダ13よりなる長さデータを測定する手段を備えているが、これを特許第２６１７８５２号により先に本出願人が提案したレーザー距離計に置き換えてもよいのである。
【００４８】
レーザー距離計は、レーザー光線を一定周波数の信号によって振幅変調して送出し、測定点に設置した反射器で反射させられた反射光を受光し、送出光と反射光との変調信号の位相差に基づいて測定装置本体から反射器までの距離を算出するものである。この反射器からの反射光を受光した瞬間における距離と、測定装置本体のロータリー・エンコーダ11の計数値から角度データとを得ることができる。
【００４９】
（第４の実施形態）
この第４の実施形態においては、敷居の高さ測定装置を具備しない従来の部屋の寸法測定装置に併用して、敷居の高さを測定して敷居の高さデータを収集するものである。
【００５０】
図１２の斜視図に示すように、把手79を有する半円柱形の高さ測定装置７の正面にフォトダイオードアレイ71を設けたものである。なお、把手79は乾電池のケースとして兼用され、スイッチ77を備えている。
【００５１】
高さ測定装置７は、第２の実施形態と同様に、図８のブロック図に示す回路を備えている。
【００５２】
この第４の実施形態の部屋の寸法測定装置おいては、部屋の寸法測定装置本体Ｈの他に、図１２に示すように、スマートフォンとして用いられている携帯端末装置３を使用して、この発明の部屋の寸法測定装置を操作する専用のソフトウエアを追加インストールする。
【００５３】
この携帯端末装置３には、図１０のブロック図に示すように、測定装置本体Ｈおよび敷居の高さ測定装置７と通信を行うブルーツース（登録商標）無線通信部31と、表示部32と、操作部33と、記憶部34と、主演算部35とを備えている。
【００５４】
図１４の斜視図に示すように、敷居９の高さを測定する際には、高さ測定装置７の底面を床の上に載せ、フォトダイオードアレイ71を有する正面を敷居９の側面に押し当てて、スイッチ77により電源を入れると動作を開始する。
【００５５】
図７および図８に示す第２の実施形態と同様に、フォトダイオードアレイ71を走査すると、下部のフォトダイオードアレイ71ａにおいては、敷居９により入射光線が遮られて暗く、出力レベルは低い。敷居９の上面より上部のフォトダイオードアレイ71ｂにおいては、外光が入射するので出力レベルは高くなる。
【００５６】
走査中に、Ａ／Ｄ変換回路74から出力される明るさに対応したデジタル信号が急変したときのフォトダイオード71の出力を選択したマルチプレクサー72のアドレス信号73が敷居９の高さに対応している。
【００５７】
このマルチプレクサー72のアドレス信号73をマイコン75により高さデータに変換するとともに、測定した測定点の情報をブルーツース無線通信部よって携帯端末装置３へ送信する。
【００５８】
そして、図６に示すように、第１の実施形態と同様に収集した座標データに基づく畳のくせのデータと、測定した敷居の高さデータを表示させる。この第４の実施形態においても、ワイヤーまたはテープ17と、リニア・エンコーダ13よりなる長さデータを測定する手段を特許第２６１７８５２号により先に本出願人が提案したレーザー距離計に置き換えてもよいのである。
【００５９】
（第５の実施形態）
以上で説明した第１〜第４の実施形態においては、探触子を用いて長さを測る実施形態について説明したが、この第５の実施形態においては、本出願人が先に特許第３７５０６３８号公報により提案し、図１３の斜視図に示すように、この長さ測定手段をレーザー距離計に換えて、測定装置本体Ｈにレーザー距離計を搭載したものでって、探触子を使用しないものである。
【００６０】
レーザー距離計は、レーザー光線を一定周波数の信号によって振幅変調して送出し、測定点に設置した反射器で反射させられた反射光を受光し、送出光と反射光との変調信号の位相差に基づいて測定装置本体Ｈから反射器までの距離を算出するものである。この反射器からの反射光を受光した瞬間における距離と、測定装置本体のロータリー・エンコーダ11の計数値から角度データとを得ることができる。
【００６１】
しかし、レーザー距離計は、明色の敷居（反射体）であれば、特に反射器を設けなくても敷居が反射体となって、敷居までの長さを測定することができる。レーザー距離計は可視光を使用しているので、測定装置本体Ｈを回転させながら敷居に照射されているレーザー光線を目視して、測定点を照射したときに、測定装置本体Ｈの回転を停止させる。
【００６２】
そして、測定装置本体Ｈから敷居の測定点までの距離をレーザー距離計により測定し、測定装置本体Ｈから敷居の測定点までの角度は、測定装置本体Ｈのロータリー・エンコーダにより収集することができる。
【００６３】
このように測定装置本体Ｈが停止している間に、図１３に示す手持ちの敷居の高さ測定装置によって敷居の高さを測定する。
【００６４】
図１３に示すように、高さ測定装置７は、把手79を有する半円柱形の高さ測定装置７の正面にフォトダイオードアレイ71を設けたものである。なお、把手79は乾電池のケースとして兼用され、スイッチ77を備えている。
【００６５】
高さ測定装置７は、第２の実施形態と同様に、図８のブロック図に示す回路を備えている。
【００６６】
この第５の実施形態の部屋の寸法測定装置においては、測定装置本体Ｈの他に、図１３に示すように、スマートフォンとして用いられている携帯端末装置３を使用して、この発明の部屋の寸法測定装置を操作する専用のソフトウエアを追加インストールする。
【００６７】
この携帯端末装置３には、図１０のブロック図に示すように、測定装置本体Ｈおよび敷居の高さ測定装置７と通信を行うブルーツース無線通信部31と、表示部32と、操作部33と、記憶部34と、主演算部35とを備えている。
【００６８】
図１４の斜視図に示すように、敷居９の高さを測定する際には、高さ測定装置７の底面を床の上に載せ、フォトダイオードアレイ71を有する正面を敷居９の側面に押し当てて、スイッチ77により電源を入れると動作を開始する。
【００６９】
図７および図８に示す第２の実施形態と同様に、フォトダイオードアレイ71を走査すると、下部のフォトダイオードアレイ71ａにおいては、敷居９により入射光線が遮られて暗く、出力レベルは低い。敷居９の上面より上部のフォトダイオードアレイ71ｂにおいては、外光が入射するので出力レベルは高くなる。
【００７０】
走査中に、Ａ／Ｄ変換回路74から出力される明るさに対応したデジタル信号が急変したときのフォトダイオード71の出力を選択したマルチプレクサー72のアドレス信号73が敷居９の高さに対応している。
【００７１】
このマルチプレクサー72のアドレス信号73をマイコン75により高さデータに変換するとともに、測定した測定点の情報をブルーツース無線通信部よって送信する。
【００７２】
そして、図６に示すように、第１の実施形態と同様に収集した座標データに基づく畳のくせのデータと、測定した敷居の高さデータを表示させる。
【符号の説明】
【００７３】
１  回転台
２  基台
３  携帯端末装置
４  探触子
５  レーザ光源
６  ノギス
７  光学的高さ測定装置
10  無線通信部
11  ロータリー・エンコーダ
13  リニア・エンコーダ
17  ワイヤーまたはテープ
31  無線通信部
71  フォトダイオードアレイ
【図１】
2014021063.tif 000003
【図２】
2014021063.tif 000004
【図３】
2014021063.tif 000005
【図４】
2014021063.tif 000006
【図５】
2014021063.tif 000007
【図６】
2014021063.tif 000008
【図７】
2014021063.tif 000009
【図８】
2014021063.tif 000010
【図９】
2014021063.tif 000011
【図１０】
2014021063.tif 000012
【図１１】
2014021063.tif 000013
【図１２】
2014021063.tif 000014
【図１３】
2014021063.tif 000015
【図１４】
2014021063.tif 000016